(57)【要約】【課題】干渉フェージング等の影響によりワンセグメント放送と複数セグメント放送とが頻繁に切り替わることを防止すること。【解決手段】デジタル放送受信機（１）は、放送波をワンセグメント放送と複数セグメント放送との一方で受信しているときに、自身の位置を示すユーザ位置（Ｐｍ）を取得する。デジタル放送受信機（１）は、エリア毎に設定されたエリア設定時間（Ｔｓ）の中から、ユーザ位置（Ｐｍ）が含まれるエリア（Ｐｓ）に対応するエリア設定時間（Ｔｓ）を選択する。デジタル放送受信機（１）は、放送波が受信されたときの電波状態を表す値に基づいて時間を計測し、そのときの計測時間（Ｔｍ）が、選択されたエリア設定時間（Ｔｓ）以上である場合、ワンセグメント放送と複数セグメント放送との一方から他方に切り替えて放送波を受信する。【選択図】図６
2015053655.tif 000002
【特許請求の範囲】
【請求項１】
放送波をワンセグメント放送と複数セグメント放送との一方で受信する受信部と、
自身の位置を示すユーザ位置を取得する位置情報取得部と、
前記放送波が受信されたときの電波状態を表す値に基づいて時間を計測する計時部と、
エリア毎に設定されたエリア設定時間の中から、前記ユーザ位置が含まれるエリアに対応するエリア設定時間を選択し、前記計時部により計測された計測時間が、前記選択されたエリア設定時間以上である場合、前記ワンセグメント放送と前記複数セグメント放送との一方から他方に切り替えて前記放送波を受信するように前記受信部を制御する階層切替制御部と、
を具備することを特徴とするデジタル放送受信機。
【請求項２】
前記計時部は、計測制御信号に応じて時間を計測し、
前記階層切替制御部は、
前記受信部が前記放送波により受信している放送が前記ワンセグメント放送であり、前記放送波が受信されたときの電波状態を表す値が閾値以上である場合に前記計測制御信号を前記計時部に出力し、
前記受信部が前記放送波により受信している放送が前記複数セグメント放送であり、前記放送波が受信されたときの電波状態を表す値が前記閾値よりも小さい場合に前記計測制御信号を前記計時部に出力する、
ことを特徴とする請求項１に記載のデジタル放送受信機。
【請求項３】
自身の移動速度を示すユーザ速度を検出する速度検出部を更に具備し、
前記階層切替制御部は、前記エリア毎に段階的に速度が設定された速度範囲に対応付けられた前記エリア設定時間の中から、前記ユーザ位置が含まれるエリアと、前記ユーザ速度が含まれる速度範囲と、に対応するエリア設定時間を選択する、
ことを特徴とする請求項１又は２に記載のデジタル放送受信機。
【請求項４】
放送波をワンセグメント放送と複数セグメント放送との一方で受信するステップと、
自身の位置を示すユーザ位置を取得するステップと、
前記放送波が受信されたときの電波状態を表す値に基づいて時間を計測するステップと、
エリア毎に設定されたエリア設定時間の中から、前記ユーザ位置が含まれるエリアに対応するエリア設定時間を選択するステップと、
前記計測された時間が、前記選択されたエリア設定時間以上である場合、前記ワンセグメント放送と前記複数セグメント放送との一方から他方に切り替えて前記放送波を受信するステップと、
を具備することを特徴とするデジタル放送受信機を用いた階層切替方法。
【請求項５】
請求項４に記載の階層切替方法の各ステップをデジタル放送受信機に実行させるためのコンピュータプログラム。
【発明の詳細な説明】
【技術分野】
【０００１】
本発明は、ワンセグメント放送又は複数セグメント放送に切り替えて放送波を受信するデジタル放送受信機、階層切替方法、及び、コンピュータプログラムに関する。
【背景技術】
【０００２】
デジタル放送受信機では、放送番組を含む放送波をワンセグメント放送と複数セグメント放送（例えば、フルセグメント放送）との一方で受信し、放送波に含まれる放送番組を出力する。デジタル放送受信機は、放送波が受信されたときの搬送波対雑音比（Ｃ／Ｎ比）の値に基づいて、ワンセグメント放送とフルセグメント放送との一方から他方に切り替えて放送波を受信する（例えば、特許文献１）。
【０００３】
Ｃ／Ｎ比の値（以下、Ｃ／Ｎ値と称する）がＣ／Ｎ比の設定値（以下、閾値と称する）を超えている場合、受信品質が良好である。Ｃ／Ｎ値が閾値以下である場合、受信品質が悪化している。例えば、デジタル放送受信機が放送波により受信している放送がワンセグメント放送であり、Ｃ／Ｎ値が閾値を超えている状態が所定時間続いた場合、デジタル放送受信機はワンセグメント放送からフルセグメント放送に切り替えて放送波を受信する。一方、デジタル放送受信機が放送波により受信している放送がフルセグメント放送であり、Ｃ／Ｎ値が閾値以下である状態が所定時間続いた場合、デジタル放送受信機はフルセグメント放送からワンセグメント放送に切り替えて放送波を受信する。
【０００４】
ワンセグメント放送とフルセグメント放送は、サイマル放送という形で同じ放送番組が放送されている。デジタル放送受信機のユーザが放送番組を視聴する際に、番組視聴への妨げにならないように、ワンセグメント放送とフルセグメント放送とを切り替えるための所定時間は、比較的短く設定されている。
【先行技術文献】
【非特許文献】
【０００５】
【特許文献１】特開２００２−７７２８０号公報
【発明の概要】
【発明が解決しようとする課題】
【０００６】
しかし、デジタル放送受信機が放送波を受信する場所によっては、干渉フェージングが多く発生する場合がある。例えば、ユーザが高層ビルの多い場所に移動した場合、干渉フェージングが多く発生する。この場合、受信品質がたまたま良好であったり、受信品質が悪化したりする。即ち、Ｃ／Ｎ値が閾値を超えている状態が所定時間続いたり、Ｃ／Ｎ値が閾値以下である状態が所定時間続いたりする。このため、図１に示されるように、デジタル放送受信機では、干渉フェージング等の影響により、ワンセグメント放送とフルセグメント放送との切り替え（階層切替）が頻繁に行なわれてしまう。その結果、干渉フェージング等の影響があるエリアにおいては、階層切替が頻繁に行なわれることにより、ユーザに対して放送番組の視聴への妨げになってしまう。
【０００７】
本発明は、上記の点に鑑みてなされたものであり、干渉フェージング等の影響により階層切替が頻繁に行なわれることを防止するデジタル放送受信機、階層切替方法、及び、コンピュータプログラムを提供することを目的とする。
【課題を解決するための手段】
【０００８】
本発明のデジタル放送受信機は、放送波をワンセグメント放送と複数セグメント放送との一方で受信する受信部と、自身の位置を示すユーザ位置を取得する位置情報取得部と、前記放送波が受信されたときの電波状態を表す値に基づいて時間を計測する計時部と、エリア毎に設定されたエリア設定時間の中から、前記ユーザ位置が含まれるエリアに対応するエリア設定時間を選択し、前記計時部により計測された計測時間が、前記選択されたエリア設定時間以上である場合、前記ワンセグメント放送と前記複数セグメント放送との一方から他方に切り替えて前記放送波を受信するように前記受信部を制御する階層切替制御部と、を具備することを特徴とする。
【０００９】
本発明のデジタル放送受信機を用いた階層切替方法は、放送波をワンセグメント放送と複数セグメント放送との一方で受信するステップと、自身の位置を示すユーザ位置を取得するステップと、前記放送波が受信されたときの電波状態を表す値に基づいて時間を計測するステップと、エリア毎に設定されたエリア設定時間の中から、前記ユーザ位置が含まれるエリアに対応するエリア設定時間を選択するステップと、前記計測された時間が、前記選択されたエリア設定時間以上である場合、前記ワンセグメント放送と前記複数セグメント放送との一方から他方に切り替えて前記放送波を受信するステップと、を具備することを特徴とする。
【００１０】
本発明のコンピュータプログラムは、上記階層切替方法の各ステップをデジタル放送受信機に実行させる。
【発明の効果】
【００１１】
本発明によれば、干渉フェージング等の影響を考慮してエリア毎に設定時間（エリア設定時間）を設定しておき、電波状態を表す値に基づいて計測される計測時間が、ユーザ位置が含まれるエリアに対応するエリア設定時間以上である場合、ワンセグメント放送とフルセグメント放送との一方から他方に切り替える階層切替を行なうため、干渉フェージング等の影響により階層切替が頻繁に行なわれることを防止することができる。
【図面の簡単な説明】
【００１２】
【図１】従来の問題点を説明するためのＣ／Ｎ値変動特性を示す図である。
【図２】本発明を説明するためのＣ／Ｎ値変動特性を示す図である。
【図３】第１実施形態に係るデジタル放送受信機の構成を示すブロック図である。
【図４】図３のデジタル放送受信機のエリアテーブルを示す図である。
【図５】図３のデジタル放送受信機の動作を示すフローチャートである。
【図６】図３のデジタル放送受信機の移動時Ｃ／Ｎ値変動特性を示す図である。
【図７】第２実施形態に係るデジタル放送受信機の構成を示すブロック図である。
【図８】図７のデジタル放送受信機のエリアテーブルを示す図である。
【図９】図７のデジタル放送受信機の動作を示すフローチャートである。
【図１０】図７のデジタル放送受信機の移動時Ｃ／Ｎ値変動特性を示す図である。
【発明を実施するための形態】
【００１３】
以下、図面を参照しながら本発明の実施形態について説明する。まず、本発明の概要について説明する。
【００１４】
図２に示されるように、本発明のデジタル放送受信機１は、ワンセグメント放送と複数セグメント放送（ここでは、フルセグメント放送とする）との一方で放送波を受信しているときに、自身の位置を示すユーザ位置Ｐｍを取得する。このとき、本発明のデジタル放送受信機１は、エリアＰｓ毎に設定されたエリア設定時間Ｔｓの中から、自身の位置Ｐｍが含まれるエリアＰｓに対応するエリア設定時間Ｔｓを選択する。本発明のデジタル放送受信機１は、放送波が受信されたときの電波状態を表す値に基づいて時間を計測し、そのときの計測時間Ｔｍが、選択されたエリア設定時間Ｔｓ以上である場合、ワンセグメント放送とフルセグメント放送との一方から他方に切り替えて放送波を受信する。
【００１５】
電波状態を表す値としては、搬送波対雑音比（Ｃ／Ｎ比）の値などが例示される。Ｃ／Ｎ比の値（以下、Ｃ／Ｎ値と称する）が、Ｃ／Ｎ比の設定値（以下、閾値と称する）を超えている場合、受信品質が良好である。Ｃ／Ｎ値が閾値以下である場合、受信品質が悪化している。
【００１６】
例えば、本発明のデジタル放送受信機１が放送波により受信している放送がワンセグメント放送であり、Ｃ／Ｎ値が閾値を超えている場合、本発明のデジタル放送受信機１は、時間を計測する。そのときの計測時間Ｔｍが、選択されたエリア設定時間Ｔｓ以上である場合、本発明のデジタル放送受信機１は、ワンセグメント放送からフルセグメント放送に切り替えて放送波を受信する。一方、本発明のデジタル放送受信機１が放送波により受信している放送がフルセグメント放送であり、Ｃ／Ｎ値が閾値以下である場合、本発明のデジタル放送受信機１は、時間を計測する。そのときの計測時間Ｔｍが、選択されたエリア設定時間Ｔｓ以上である場合、本発明のデジタル放送受信機１は、フルセグメント放送からワンセグメント放送に切り替えて放送波を受信する。
【００１７】
本発明のデジタル放送受信機１において、干渉フェージング等の影響があるエリアに対するエリア設定時間Ｔｓは、前述の所定時間よりも長く設定される。このように、本発明のデジタル放送受信機１によれば、干渉フェージング等の影響を考慮してエリア毎にエリア設定時間Ｔｓを設定しておき、Ｃ／Ｎ値に基づいて計測される計測時間Ｔｍが、ユーザ位置Ｐｍが含まれるエリアＰｓに対応するエリア設定時間Ｔｓ以上である場合、ワンセグメント放送とフルセグメント放送との一方から他方に切り替える階層切替を行なう。このため、干渉フェージング等の影響により階層切替が頻繁に行なわれることを防止することができる。
【００１８】
［第１実施形態］
図３は、本発明の第１実施形態に係るデジタル放送受信機１の構成を示すブロック図である。第１実施形態に係るデジタル放送受信機１は、受信部１０と、出力部２０と、計時部３１と、階層切替制御部３２と、記憶部３３と、位置情報取得部３５と、これらを制御するＣＰＵ（Central Processing Unit）（図示しない）と、を具備している。記憶部３３にはコンピュータが実行可能なコンピュータプログラムが格納され、ＣＰＵはそのコンピュータプログラムを読み出して実行する。
【００１９】
受信部１０は、チューナ部１１、デマルチプレクサ部１２を備えている。チューナ部１１は、放送局から放送されている放送波を、ワンセグメント放送とフルセグメント放送との一方で受信する。チューナ部１１は、ユーザの操作により、又は、階層切替制御部３２の制御により階層切替可能である。デマルチプレクサ部１２は、その放送波を復調し、放送波から放送信号、すなわち、ＴＳパケット（トランスポートストリームパケット）を抽出する。デマルチプレクサ部１２は、そのＴＳパケットに含まれている映像データ、音声データ、付加情報データを出力部２０に出力する。付加情報データは、字幕データ、文字データ、番組表データ等の少なくとも１つのデータを含んでいる。
【００２０】
出力部２０は、映像デコーダ２１、音声デコーダ２２、表示部２３、スピーカ２４、付加情報処理部２５を備えている。表示部２３としては、ＬＣＤ（Liquid Crystal Display）が例示される。映像デコーダ２１は、デマルチプレクサ部１２からの映像データを、音声デコーダ２２により出力制御される音声データと同期をとりながら表示部２３に表示する。音声デコーダ２２は、デマルチプレクサ部１２からの音声データを、映像デコーダ２１により表示制御される映像データと同期をとりながらスピーカ２４に出力する。付加情報処理部２５は、デマルチプレクサ部１２からの付加情報データを表示部２３に表示する。例えば付加情報データが字幕データである場合、付加情報処理部２５は、デマルチプレクサ部１２からの付加情報データを、映像デコーダ２１により表示制御される映像データと同期をとりながら表示部２３に表示する。
【００２１】
ワンセグメント放送（Ａ階層）の場合、例えば、映像データは、動画圧縮規格であるH.264により伝送され、音声データは、MPEG（Moving Picture Experts Group）により標準化された音響符号化方式であるMPEG2-AAC（Advanced Audio Coding）により伝送される。フルセグメント放送（Ｂ階層）の場合、例えば、映像データはMPEG2により伝送され、音声データはＡ階層と同様にMPEG2-AACで伝送されるが、対応すべきサンプリング周波数やマルチチャネル等のオプションが多くなる。階層切替制御部３２は、受信する放送波をワンセグメント放送又はフルセグメント放送に切り替えるためにチューナ部１１を制御すると同時に、出力する放送がワンセグメント放送かフルセグメント放送かによって、各デコーダ（映像デコーダ２１、音声デコーダ２２）を制御する必要がある。
【００２２】
記憶部３３は、エリアテーブル３４を備えている。エリアテーブル３４には、複数のエリアＰｓ（図４参照）と複数のエリアＰｓの各々に設定されたエリア設定時間Ｔｓ（図４参照）とを表す情報が登録されている。各エリアＰｓは、緯度の範囲と経度の範囲とにより表され、例えば通信事業者、端末メーカ等により設定される。
【００２３】
位置情報取得部３５は、自身の位置を示すユーザ位置Ｐｍを取得する。位置情報取得部３５は、例えばＧＰＳ（Global Positioning System）を利用して自身の位置を計測することによりユーザ位置Ｐｍを取得する。ユーザ位置Ｐｍを取得する手段としてはＧＰＳに限定されずに、位置情報取得部３５は、例えばＷｉ−Ｆｉを利用したサービスにより位置情報を取得してもよい。ユーザ位置Ｐｍは、緯度・経度により表される。
【００２４】
計時部３１は、階層切替制御部３２からの計測制御信号Ｃｔｍに応じて、時間を計測するタイマーである。
【００２５】
階層切替制御部３２は、エリアテーブル３４に登録されたエリア設定時間Ｔｓの中から、ユーザ位置Ｐｍが含まれるエリアＰｓに対応するエリア設定時間Ｔｓを選択する。
【００２６】
例えば、チューナ部１１が放送波により受信している放送がワンセグメント放送であり、放送波が受信されたときのＣ／Ｎ値が閾値を超えている場合、階層切替制御部３２は計測制御信号Ｃｔｍを計時部３１に出力する。計時部３１により計測された計測時間Ｔｍが、選択されたエリア設定時間Ｔｓ以上である場合、階層切替制御部３２は、ワンセグメント放送からフルセグメント放送に切り替えて放送波を受信するようにチューナ部１１を制御する。
【００２７】
一方、チューナ部１１が放送波により受信している放送がフルセグメント放送であり、放送波が受信されたときのＣ／Ｎ値が閾値以下である場合、階層切替制御部３２は計測制御信号Ｃｔｍを計時部３１に出力する。計時部３１により計測された計測時間Ｔｍが、選択されたエリア設定時間Ｔｓ以上である場合、階層切替制御部３２は、フルセグメント放送からワンセグメント放送に切り替えて放送波を受信するようにチューナ部１１を制御する。
【００２８】
図４は、本発明の第１実施形態に係るデジタル放送受信機１におけるエリアテーブル３４を示す図である。エリアテーブル３４には、複数のエリアＰｓと、複数のエリアＰｓの各々に設定されたエリア設定時間Ｔｓと、が対応付けられて登録されている。各エリアＰｓは、例えば都道府県の区や市町村に区切られている。各エリアＰｓは更に細かく区切られても良い。エリア設定時間Ｔｓは、Ｃ／Ｎ値が閾値を超えている場合のエリア設定時間と、Ｃ／Ｎ値が閾値以下である場合のエリア設定時間と、を含んでいる。
【００２９】
例えば、東京都内において、港区を表すエリアＰｓに対するエリア設定時間Ｔｓは、Ｃ／Ｎ値が閾値を超えている場合でＴＴＭ１により表され、Ｃ／Ｎ値が閾値以下である場合でＴＴＭ２により表される。墨田区を表すエリアＰｓに対するエリア設定時間Ｔｓは、Ｃ／Ｎ値が閾値を超えている場合でＴＴＳ１により表され、Ｃ／Ｎ値が閾値以下である場合でＴＴＳ２により表される。豊島区を表すエリアＰｓに対するエリア設定時間Ｔｓは、Ｃ／Ｎ値が閾値を超えている場合でＴＴＴ１により表され、Ｃ／Ｎ値が閾値以下である場合でＴＴＴ２により表される。足立区を表すエリアＰｓに対するエリア設定時間Ｔｓは、Ｃ／Ｎ値が閾値を超えている場合でＴＴＡ１により表され、Ｃ／Ｎ値が閾値以下である場合でＴＴＡ２により表される。港区では、他の区（墨田区、豊島区、足立区）よりも高層ビルの数が多く、干渉フェージングが多く発生する可能性がある。そのため、港区のエリア設定時間ＴＴＭ１、ＴＴＭ２は、他の区のエリア設定時間よりも長く設定される。
【００３０】
また、千葉県内において、千葉市中央区を表すエリアＰｓに対するエリア設定時間Ｔｓは、Ｃ／Ｎ値が閾値を超えている場合でＴＣ１１により表され、Ｃ／Ｎ値が閾値以下である場合でＴＣ１２により表される。千葉市美浜区を表すエリアＰｓに対するエリア設定時間Ｔｓは、Ｃ／Ｎ値が閾値を超えている場合でＴＣ２１により表され、Ｃ／Ｎ値が閾値以下である場合でＴＣ２２により表される。習志野市を表すエリアＰｓに対するエリア設定時間Ｔｓは、Ｃ／Ｎ値が閾値を超えている場合でＴＣＮ１により表され、Ｃ／Ｎ値が閾値以下である場合でＴＣＮ２により表される。船橋市を表すエリアＰｓに対するエリア設定時間Ｔｓは、Ｃ／Ｎ値が閾値を超えている場合でＴＣＦ１により表され、Ｃ／Ｎ値が閾値以下である場合でＴＣＦ２により表される。千葉県内では、東京都内よりも高層ビルの数が少ないため、千葉県内のエリア設定時間は、東京都内のエリア設定時間よりも短く設定される。
【００３１】
図５は、本発明の第１実施形態に係るデジタル放送受信機１の動作（階層切替方法）を示すフローチャートである。図６は、本発明の第１実施形態に係るデジタル放送受信機１が移動したときのＣ／Ｎ値変動特性を示す図である。
【００３２】
（時刻ｔ１）
いま、ユーザは千葉県千葉市美浜区に居て、デジタル放送受信機１のチューナ部１１は、ユーザの視聴指示に応じて、放送局から放送されている放送波をワンセグメント放送で受信している（Ｓ２）。デジタル放送受信機１において、位置情報取得部３５は自身の位置を示すユーザ位置Ｐｍを取得する（Ｓ４）。階層切替制御部３２は、エリアテーブル３４に登録されたエリアＰｓの中から、ユーザ位置Ｐｍが含まれるエリアＰｓが千葉県千葉市美浜区であることを認識し、エリアテーブル３４に登録されたエリア設定時間Ｔｓの中から、エリアＰｓ（千葉県千葉市美浜区）に対応するエリア設定時間Ｔｓ（ＴＣ２１、ＴＣ２２）を選択する（Ｓ６）。また、階層切替制御部３２は、チューナ部１１により放送波が受信されたときのＣ／Ｎ値を監視する（Ｓ８）。チューナ部１１が放送波により受信している放送はワンセグメント放送であるため（Ｓ１０−Ｙｅｓ）、階層切替制御部３２は、放送波が受信されたときのＣ／Ｎ値が閾値を超えている否かを判定する（Ｓ１２）。
【００３３】
（時刻ｔ２）
Ｃ／Ｎ値が閾値を超えている（Ｓ１２−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００３４】
（時刻ｔ３）
計時部３１により計測された計測時間Ｔｍが、選択されたエリア設定時間Ｔｓ（ＴＣ２１）以上である（Ｓ１８−Ｙｅｓ）。この場合、階層切替制御部３２は、ワンセグメント放送からフルセグメント放送に切り替えて放送波を受信するようにチューナ部１１を制御する（Ｓ２０）。ユーザの操作により視聴終了指示が行なわれていない場合（Ｓ２２−Ｎｏ）、Ｓ４〜Ｓ８が実行される。この場合、チューナ部１１が放送波により受信している放送はフルセグメント放送であるため（Ｓ１０−Ｎｏ）、階層切替制御部３２は、放送波が受信されたときのＣ／Ｎ値が閾値以下であるか否かを判定する（Ｓ１４）。ここで、Ｃ／Ｎ値が閾値を超えている場合は（Ｓ１４−Ｎｏ）、Ｓ４〜Ｓ８、Ｓ１０−Ｎｏ、Ｓ１４が実行される。
【００３５】
（時刻ｔ４）
Ｃ／Ｎ値が閾値以下である（Ｓ１４−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００３６】
（時刻ｔ５）
計時部３１により計測された計測時間Ｔｍが、選択されたエリア設定時間Ｔｓ（ＴＣ２２）以上である（Ｓ１８−Ｙｅｓ）。この場合、階層切替制御部３２は、フルセグメント放送からワンセグメント放送に切り替えて放送波を受信するようにチューナ部１１を制御する（Ｓ２０）。
【００３７】
（時刻ｔ１１）
ユーザは千葉県千葉市美浜区から東京都港区に移動した。デジタル放送受信機１において、ユーザの操作により視聴終了指示が行なわれていない場合（Ｓ２２−Ｎｏ）、Ｓ４が実行される。デジタル放送受信機１において、位置情報取得部３５は、自身の位置を示すユーザ位置Ｐｍを取得する（Ｓ４）。階層切替制御部３２は、エリアテーブル３４に登録されたエリアＰｓの中から、ユーザ位置Ｐｍが含まれるエリアＰｓが東京都港区であることを認識し、エリアテーブル３４に登録されたエリア設定時間Ｔｓの中から、エリアＰｓ（東京都港区）に対応するエリア設定時間Ｔｓ（ＴＴＭ１、ＴＴＭ２）を選択する（Ｓ６）。また、階層切替制御部３２は、チューナ部１１により放送波が受信されたときのＣ／Ｎ値を監視する（Ｓ８）。チューナ部１１が放送波により受信している放送はワンセグメント放送であるため（Ｓ１０−Ｙｅｓ）、階層切替制御部３２は、放送波が受信されたときのＣ／Ｎ値が閾値を超えている否かを判定する（Ｓ１２）。
【００３８】
（時刻ｔ１２）
Ｃ／Ｎ値が閾値を超えている（Ｓ１２−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００３９】
（時刻ｔ１３）
しかし、干渉フェージング等の影響により、計時部３１により計測された計測時間Ｔｍが、選択されたエリア設定時間Ｔｓ（ＴＴＭ１）よりも短い（Ｓ１８−Ｎｏ）。この場合、Ｓ４〜Ｓ８、Ｓ１０−Ｙｅｓ、Ｓ１２が実行されるが、Ｃ／Ｎ値が閾値以下である（Ｓ１２−Ｎｏ）。この場合、Ｓ４〜Ｓ８、Ｓ１０−Ｙｅｓ、Ｓ１２が実行される。
【００４０】
（時刻ｔ１４）
Ｃ／Ｎ値が閾値を超えている（Ｓ１２−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００４１】
（時刻ｔ１５）
計時部３１により計測された計測時間Ｔｍが、選択されたエリア設定時間Ｔｓ（ＴＴＭ１）以上である（Ｓ１８−Ｙｅｓ）。この場合、階層切替制御部３２は、ワンセグメント放送からフルセグメント放送に切り替えて放送波を受信するようにチューナ部１１を制御する（Ｓ２０）。ユーザの操作により視聴終了指示が行なわれていない場合（Ｓ２２−Ｎｏ）、Ｓ４〜Ｓ８が実行される。この場合、チューナ部１１が放送波により受信している放送はフルセグメント放送であるため（Ｓ１０−Ｎｏ）、階層切替制御部３２は、放送波が受信されたときのＣ／Ｎ値が閾値以下であるか否かを判定する（Ｓ１４）。
【００４２】
（時刻ｔ１６）
Ｃ／Ｎ値が閾値以下である（Ｓ１４−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００４３】
（時刻ｔ１７）
しかし、干渉フェージング等の影響により、計時部３１により計測された計測時間Ｔｍが、選択されたエリア設定時間Ｔｓ（ＴＴＭ２）よりも短い（Ｓ１８−Ｎｏ）。この場合、Ｓ４〜Ｓ８、Ｓ１０−Ｎｏ、Ｓ１４が実行される。
【００４４】
（時刻ｔ１８）
Ｃ／Ｎ値が閾値以下である（Ｓ１４−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００４５】
（時刻ｔ１９）
計時部３１により計測された計測時間Ｔｍが、選択されたエリア設定時間Ｔｓ（ＴＴＭ２）以上である（Ｓ１８−Ｙｅｓ）。この場合、階層切替制御部３２は、フルセグメント放送からワンセグメント放送に切り替えて放送波を受信するようにチューナ部１１を制御する（Ｓ２０）。ユーザの操作により視聴終了指示が行なわれていない場合（Ｓ２２−Ｎｏ）、Ｓ４以降が実行される。
【００４６】
Ｓ４〜Ｓ２２が実行された結果、ユーザの操作により視聴終了指示が行なわれた場合（Ｓ２２−Ｙｅｓ）、チューナ部１１は、放送波の受信を終了する。
【００４７】
以上の説明により、本発明の第１実施形態に係るデジタル放送受信機１では、干渉フェージング等の影響を考慮してエリアＰｓ毎に設定時間（エリア設定時間Ｔｓ）を設定しておき、ユーザ位置Ｐｍが含まれるエリアＰｓに対応するエリア設定時間Ｔｓを選択する。そこで、電波状態を表す値（Ｃ／Ｎ値）に基づいて計測される計測時間が、選択されたエリア設定時間Ｔｓ以上である場合、ワンセグメント放送とフルセグメント放送との一方から他方に切り替える階層切替を行なう。このため、干渉フェージング等の影響により階層切替が頻繁に行なわれることを防止することができる。
【００４８】
［第２実施形態］
干渉フェージングは、エリアによる影響もあるが、エリア内でユーザが移動している状況でも影響が大きい。即ち、同じエリア内でも、ユーザが停止しているか、高速で移動しているかによって、Ｃ／Ｎ値の変動は異なる。本発明の第２実施形態に係るデジタル放送受信機１では、干渉フェージング等の影響の他にユーザの移動速度も考慮する。
【００４９】
図７は、本発明の第２実施形態に係るデジタル放送受信機１の構成を示すブロック図である。第２実施形態に係るデジタル放送受信機１は、第１実施形態に係るデジタル放送受信機１の構成に加えて、更に、速度検出部３６を具備している。
【００５０】
速度検出部３６は、自身の移動速度を示すユーザ速度Ｖｍを検出する。速度検出部３６としては、加速度センサーが例示されるが、これに限定されない。
【００５１】
図８は、本発明の第２実施形態に係るデジタル放送受信機１におけるエリアテーブル３４を示す図である。エリアテーブル３４には、エリアＰｓ毎に段階的に速度Ｖｓが設定された速度範囲と、その速度範囲に対応付けられた前述のエリア設定時間Ｔｓとが登録されている。速度範囲は、例えば、速度Ｖｓが０ｋｍ／ｈ以上、４ｋｍ／ｈ未満の範囲にある第１速度範囲（０≦Ｖｓ＜４）、速度Ｖｓが４ｋｍ／ｈ以上、１０ｋｍ／ｈ未満の範囲にある第２速度範囲（４≦Ｖｓ＜１０）、速度Ｖｓが１０ｋｍ／ｈ以上、５０ｋｍ／ｈ未満の範囲にある第３速度範囲（１０≦Ｖｓ＜５０）などに分けられている。
【００５２】
例えば、千葉県千葉市美浜区において、第１速度範囲（０≦Ｖｓ＜４）に対するエリア設定時間Ｔｓは、Ｃ／Ｎ値が閾値を超えている場合でＴＣ２１１により表され、Ｃ／Ｎ値が閾値以下である場合でＴＣ２１２により表される。第２速度範囲（４≦Ｖｓ＜１０）に対するエリア設定時間Ｔｓは、第１速度範囲（０≦Ｖｓ＜４）に対するエリア設定時間Ｔｓ（ＴＣ２１１、ＴＣ２１２）よりも長く設定されていて、Ｃ／Ｎ値が閾値を超えている場合でＴＣ２２１により表され、Ｃ／Ｎ値が閾値以下である場合でＴＣ２２２により表される。第３速度範囲（１０≦Ｖｓ＜５０）に対するエリア設定時間Ｔｓは、第２速度範囲（４≦Ｖｓ＜１０）に対するエリア設定時間Ｔｓ（ＴＣ２２１、ＴＣ２２２）よりも長く設定されていて、Ｃ／Ｎ値が閾値を超えている場合でＴＣ２３１により表され、Ｃ／Ｎ値が閾値以下である場合でＴＣ２３２により表される。
【００５３】
図９は、本発明の第２実施形態に係るデジタル放送受信機１の動作（階層切替方法）を示すフローチャートである。図１０は、本発明の第２実施形態に係るデジタル放送受信機１が移動したときのＣ／Ｎ値変動特性を示す図である。第２実施形態では、前述のＳ６に代えて、Ｓ５、Ｓ７が実行される。
【００５４】
（時刻ｔ２１）
いま、ユーザは千葉県千葉市美浜区において徒歩で移動していて、デジタル放送受信機１のチューナ部１１は、ユーザの視聴指示に応じて、放送局から放送されている放送波をワンセグメント放送で受信している（Ｓ２）。デジタル放送受信機１において、位置情報取得部３５は、自身の位置を示すユーザ位置Ｐｍを取得する（Ｓ４）。速度検出部３６は、自身の移動速度を示すユーザ速度Ｖｍとして、例えば２ｋｍ／ｈを検出する（Ｓ５）。階層切替制御部３２は、エリアテーブル３４に登録されたエリアＰｓの中から、ユーザ位置Ｐｍが含まれるエリアＰｓが千葉県千葉市美浜区であることを認識し、ユーザ速度Ｖｍ（２ｋｍ／ｈ）が含まれる第１速度範囲（０≦Ｖｓ＜４）を認識する。階層切替制御部３２は、エリアテーブル３４に登録されたエリア設定時間Ｔｓの中から、エリアＰｓ（千葉県千葉市美浜区）と、第１速度範囲（０≦Ｖｓ＜４）と、に対応するエリア設定時間Ｔｓ（ＴＣ２１１、ＴＣ２１２）を選択する（Ｓ７）。また、階層切替制御部３２は、チューナ部１１により放送波が受信されたときのＣ／Ｎ値を監視する（Ｓ８）。チューナ部１１が放送波により受信している放送はワンセグメント放送であるため（Ｓ１０−Ｙｅｓ）、階層切替制御部３２は、放送波が受信されたときのＣ／Ｎ値が閾値を超えている否かを判定する（Ｓ１２）。
【００５５】
（時刻ｔ２２）
Ｃ／Ｎ値が閾値を超えている（Ｓ１２−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００５６】
（時刻ｔ２３）
計時部３１により計測された計測時間Ｔｍが、選択されたエリア設定時間Ｔｓ（ＴＣ２１１）以上である（Ｓ１８−Ｙｅｓ）。この場合、階層切替制御部３２は、ワンセグメント放送からフルセグメント放送に切り替えて放送波を受信するようにチューナ部１１を制御する（Ｓ２０）。ユーザの操作により視聴終了指示が行なわれていない場合（Ｓ２２−Ｎｏ）、Ｓ４〜Ｓ８が実行される。この場合、チューナ部１１が放送波により受信している放送はフルセグメント放送であるため（Ｓ１０−Ｎｏ）、階層切替制御部３２は、放送波が受信されたときのＣ／Ｎ値が閾値以下であるか否かを判定する（Ｓ１４）。
【００５７】
（時刻ｔ２４）
Ｃ／Ｎ値が閾値以下である（Ｓ１４−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００５８】
（時刻ｔ２５）
計時部３１により計測された計測時間Ｔｍが、選択されたエリア設定時間Ｔｓ（ＴＣ２１２）以上である（Ｓ１８−Ｙｅｓ）。この場合、階層切替制御部３２は、フルセグメント放送からワンセグメント放送に切り替えて放送波を受信するようにチューナ部１１を制御する（Ｓ２０）。
【００５９】
（時刻ｔ３１）
ユーザは千葉県千葉市美浜区において電車で移動している。デジタル放送受信機１において、ユーザの操作により視聴終了指示が行なわれていない場合（Ｓ２２−Ｎｏ）、Ｓ４が実行される。デジタル放送受信機１において、位置情報取得部３５は自身の位置を示すユーザ位置Ｐｍを取得する（Ｓ４）。速度検出部３６は、自身の移動速度を示すユーザ速度Ｖｍとして、例えば４０ｋｍ／ｈを検出する（Ｓ５）。階層切替制御部３２は、エリアテーブル３４に登録されたエリアＰｓの中から、ユーザ位置Ｐｍが含まれるエリアＰｓが千葉県千葉市美浜区であることを認識し、ユーザ速度Ｖｍ（４０ｋｍ／ｈ）が含まれる第３速度範囲（１０≦Ｖｓ＜５０）を認識する。階層切替制御部３２は、エリアテーブル３４に登録されたエリア設定時間Ｔｓの中から、エリアＰｓ（千葉県千葉市美浜区）と、第３速度範囲（１０≦Ｖｓ＜５０）と、に対応するエリア設定時間Ｔｓ（ＴＣ２３１、ＴＣ２３２）を選択する（Ｓ７）。また、階層切替制御部３２は、チューナ部１１により放送波が受信されたときのＣ／Ｎ値を監視する（Ｓ８）。チューナ部１１が放送波により受信している放送はワンセグメント放送であるため（Ｓ１０−Ｙｅｓ）、階層切替制御部３２は、放送波が受信されたときのＣ／Ｎ値が閾値を超えている否かを判定する（Ｓ１２）。
【００６０】
（時刻ｔ３２）
Ｃ／Ｎ値が閾値を超えている（Ｓ１２−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００６１】
（時刻ｔ３３）
しかし、干渉フェージング等の影響により、計時部３１により計測された計測時間Ｔｍが、選択されたエリア設定時間Ｔｓ（ＴＣ２３１）よりも短い（Ｓ１８−Ｎｏ）。この場合、Ｓ４〜Ｓ８、Ｓ１０−Ｙｅｓ、Ｓ１２が実行されるが、Ｃ／Ｎ値が閾値以下である（Ｓ１２−Ｎｏ）。この場合、Ｓ４〜Ｓ８、Ｓ１０−Ｙｅｓ、Ｓ１２が実行される。
【００６２】
（時刻ｔ３４）
Ｃ／Ｎ値が閾値を超えている（Ｓ１２−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００６３】
（時刻ｔ３５）
計時部３１により計測された計測時間Ｔｍが、選択されたエリア設定時間Ｔｓ（ＴＣ２３１）以上である（Ｓ１８−Ｙｅｓ）。この場合、階層切替制御部３２は、ワンセグメント放送からフルセグメント放送に切り替えて放送波を受信するようにチューナ部１１を制御する（Ｓ２０）。ユーザの操作により視聴終了指示が行なわれていない場合（Ｓ２２−Ｎｏ）、Ｓ４〜Ｓ８が実行される。この場合、チューナ部１１が放送波により受信している放送はフルセグメント放送であるため（Ｓ１０−Ｎｏ）、階層切替制御部３２は、放送波が受信されたときのＣ／Ｎ値が閾値以下であるか否かを判定する（Ｓ１４）。
【００６４】
（時刻ｔ３６）
Ｃ／Ｎ値が閾値以下である（Ｓ１４−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００６５】
（時刻ｔ３７）
しかし、干渉フェージング等の影響により、計時部３１により計測された計測時間Ｔｍが、選択されたエリア設定時間Ｔｓ（ＴＣ２３２）よりも短い（Ｓ１８−Ｎｏ）。この場合、Ｓ４〜Ｓ８、Ｓ１０−Ｎｏ、Ｓ１４が実行されるが、Ｃ／Ｎ値が閾値を超えている（Ｓ１４−Ｎｏ）。この場合、Ｓ４〜Ｓ８、Ｓ１０−Ｎｏ、Ｓ１４が実行される。
【００６６】
（時刻ｔ３８）
Ｃ／Ｎ値が閾値以下である（Ｓ１４−Ｙｅｓ）。このとき、階層切替制御部３２は、計測制御信号Ｃｔｍを計時部３１に出力し、計時部３１は、階層切替制御部３２からの計測制御信号Ｃｔｍに応じて、時間を計測する（Ｓ１６）。
【００６７】
（時刻ｔ３９）
計時部３１により計測された計測時間Ｔｍが、選択されたエリア設定時間Ｔｓ（ＴＣ２３２）以上である（Ｓ１８−Ｙｅｓ）。この場合、階層切替制御部３２は、フルセグメント放送からワンセグメント放送に切り替えて放送波を受信するようにチューナ部１１を制御する（Ｓ２０）。ユーザの操作により視聴終了指示が行なわれていない場合（Ｓ２２−Ｎｏ）、Ｓ４以降が実行される。
【００６８】
Ｓ４〜Ｓ２２が実行された結果、ユーザの操作により視聴終了指示が行なわれた場合（Ｓ２２−Ｙｅｓ）、チューナ部１１は、放送波の受信を終了する。
【００６９】
以上の説明により、本発明の第２実施形態に係るデジタル放送受信機１では、干渉フェージング等の影響を考慮してエリアＰｓ及び移動速度Ｖｓの範囲（速度範囲）毎に設定時間（エリア設定時間Ｔｓ）を設定しておき、ユーザ位置Ｐｍが含まれるエリアＰｓと、ユーザ速度Ｖｍが含まれる速度範囲と、に対応するエリア設定時間Ｔｓを選択する。そこで、電波状態を表す値（Ｃ／Ｎ値）に基づいて計測される計測時間が、選択されたエリア設定時間Ｔｓ以上である場合、ワンセグメント放送とフルセグメント放送との一方から他方に切り替える階層切替を行なう。このため、第１実施形態と比べて、干渉フェージング等の影響による階層切替の頻度を低減することができる。
【符号の説明】
【００７０】
１…デジタル放送受信機、１０…受信部、３１…計時部、３２…階層切替制御部、３３…記憶部、３４…エリアテーブル、３５…位置情報取得部、３６…速度検出部
【図１】
2015053655.tif 000003
【図２】
2015053655.tif 000004
【図３】
2015053655.tif 000005
【図４】
2015053655.tif 000006
【図５】
2015053655.tif 000007
【図６】
2015053655.tif 000008
【図７】
2015053655.tif 000009
【図８】
2015053655.tif 000010
【図９】
2015053655.tif 000011
【図１０】
2015053655.tif 000012